(57)【特許請求の範囲】
【請求項１】
ラベルもしくは集電子が搬送される方向とは逆方向側に向くように搬送体面に載置された前記ラベルもしくは前記集電子付きボタン型電池を所定の方向に搬送する工程と、
前記載置したボタン型電池を、対向して配置された、第１の搬送ガイドおよび逆Ｌ字型の第２の搬送ガイドによって搬送体の進行方向に対して角度をズラす工程と、
前記角度をズラして搬送されるボタン型電池に、前記第１の搬送ガイド、および前記第２の搬送ガイドの先端面に介在させた押さえベルトの移動によって平面的な回転を与える工程と、
前記回転搬送されるボタン型電池のラベルもしくは集電子の最先端面よりも若干搬送方向側の面を前記第２の搬送ガイドの逆Ｌ字型の立上がり面に対接させて方向性を付与する工程と
を具備することを特徴とするボタン型電池の搬送方法。
【請求項２】
ラベルもしくは集電子が搬送される方向とは逆方向側に向くように搬送体面に載置された前記ラベルもしくは前記集電子付きボタン型電池を所定の方向に搬送する搬送体と、
前記搬送体の進行方向に対して角度をズラして配置され、かつ搬送体面に載置されたボタン型電池の周辺部に対接して搬送をガイドする第１の搬送ガイドと、
前記第１の搬送ガイドに対向して配置され、前記搬送されるボタン型電池のラベルもしくは集電子の最先端面よりも若干搬送方向側の面に対接して方向を制御する立上がり面を有する逆Ｌ字型の第２の搬送ガイドと、
前記第２の搬送ガイドの対向先端面部に配置され、ラベルもしくは集電子付きボタン型電池の周辺部を押圧しながら搬送体の進行方向へ同等の速度で移動する押さえベルトと
を具備することを特徴とするボタン型電池の搬送装置。
【発明の詳細な説明】
【０００１】
【産業上の利用分野】
本発明は封止用ラベル付きボタン型電池の搬送方法および搬送装置に係り、さらに詳しくは、封止用ラベル付きボタン型電池の整列を兼ねた搬送方法および搬送装置に関する。
【０００２】
【従来の技術】
携帯型の電卓，各種のカード類，あるいは時計類などにおいては、駆動電源として、一般的にボタン型電池が多く使用されている。そして、これら駆動電源としてのボタン型電池は、他の電池の場合と同様に、いわゆる封止用のラベル（シール片）の付設によって未使用か否かを判別し得る構成を採っている。
【０００３】
また、この種のボタン型電池は、他の電池の場合と同様に、製造の最終的な工程で、いわゆるラベル類を所定の箇所に貼着してから連続する搬送ライン上で、取り扱い操作を行い易いように方向を揃えて（整列化）いる。つまり、市販などに当たっては、商品性もしくは美観性など考慮してパッケージングしている。このため、製造ラインの最終的な段階では、ラベルが貼着されたボタン型電池を方向付けした配列を採り、パッケージングし易いようにしている。そして、前記搬送ライン上での整列化に当たっては、一般的に、ラベルの曲り，変形、あるいは剥がれ防止を考慮して、本体としての電池およびラベルの寸法や形状に対応した（合せた）治具を用いている。
【０００４】
【発明が解決しようとする課題】
しかしながら、前記のようにラベル付きボタン型電池を、ラベルの破損など回避しながら搬送，整列化など行う場合、その都度対応する治具を必要とする。すなわち、電池の形状，寸法に対応した溝（電池装着溝）および電池に貼着したラベルの形状，寸法に対応した溝（ラベル装着溝）をそれぞれ同時に有する治具を必要とするので、治具の製作や保管などコスト面で問題がある。
【０００５】
また、前記搬送，整列用の治具にラベル付きボタン型電池を供給，装着するため、製造ライン上を搬送される電池の方向修正を要するなど操作も煩雑化するという不都合もある。  本発明はこのような事情に対処してなされたもので、需要増大や量産に十分対応して、ラベルもしくは集電子付きボタン型電池を容易に、また確実に方向付けもしくは整列化できる搬送方法および搬送装置の提供を目的とする。
【０００６】
【課題を解決するための手段】
請求項１の発明は、ラベルもしくは集電子が搬送される方向とは逆方向側に向くように搬送体面に載置された前記ラベルもしくは前記集電子付きボタン型電池を所定の方向に搬送する工程と、前記載置したボタン型電池を、対向して配置された、第１の搬送ガイドおよび逆Ｌ字型の第２の搬送ガイドによって搬送体の進行方向に対して角度をズラす工程と、前記角度をズラして搬送されるボタン型電池に、前記第１の搬送ガイド、および前記第２の搬送ガイドの先端面に介在させた押さえベルトの移動によって平面的な回転を与える工程と、前記回転搬送されるボタン型電池のラベルもしくは集電子の最先端面よりも若干搬送方向側の面を前記第２の搬送ガイドの逆Ｌ字型の立上がり面に対接させて方向性を付与する工程とを具備することを特徴とするボタン型電池の搬送方法である。
【０００７】
請求項２の発明は、ラベルもしくは集電子が搬送される方向とは逆方向側に向くように搬送体面に載置された前記ラベルもしくは前記集電子付きボタン型電池を所定の方向に搬送する搬送体と、前記搬送体の進行方向に対して角度をズラして配置され、かつ搬送体面に載置されたボタン型電池の周辺部に対接して搬送をガイドする第１の搬送ガイドと、前記第１の搬送ガイドに対向して配置され、前記搬送されるボタン型電池のラベルもしくは集電子の最先端面よりも若干搬送方向側の面に対接して方向を制御する立上がり面を有する逆Ｌ字型の第２の搬送ガイドと、前記第２の搬送ガイドの対向先端面部に配置され、ラベルもしくは集電子付きボタン型電池の周辺部を押圧しながら搬送体の進行方向へ同等の速度で移動する押さえベルトとを具備することを特徴とするボタン型電池の搬送装置である。
【０００８】
すなわち、本発明は搬送体によるラベル付きボタン型電池もしくは集電子付きボタン型電池の進行方向を規制し、前記ボタン型電池に偶力を与え、搬送過程で平面的に回転させる一方、搬送ガイトによってラベルなどの方向性、強いてはボタン型電池に一定の方向性を持たせ、整列化することを骨子としている。
【０００９】
【作用】
請求項１の発明では、ラベルもしくは集電子付きボタン型電池は対向する一対の搬送ガイドによって搬送体の進行方向に対して角度をズラされ、この角度ズレおよび押さえベルトの摺動的な移動作用によって平面的な回転が与えられる。この平面的な回転に伴って、搬送されるボタン型電池のラベルもしくは集電子先端部は、一方の逆Ｌ字型搬送ガイドの立上がり面に対接して一定の方向性が付与され、確実に所定の整列・搬送がなされる。
【００１０】
請求項２の発明では、対向して配置されている第１の搬送ガイドおよび逆Ｌ字型第２の搬送ガイド、さらには押さえベルトの相互的な機能によって、前記請求項１記載の作用が容易、かつ確実に行われる。
【００１１】
つまり、本発明に係る手段では、容易かつ正確に、またラベルもしくは集電子の破損など生じることなく、ラベルもしくは集電子付きボタン型電池を所定の方向に整列化し、たとえば包装パックに対する容易な装着・収納を可能とし、多量生産体制などにも着実に対応でき、生産性などに大きく寄与するものである。
【００１２】
【実施例】
以下図１，図２および図３を参照して本発明の実施例を説明する。
【００１３】
図１は本発明に係るラベル付きボタン型電池搬送装置の概略構成を平面的に、図２は図１の A-A線に沿って断面的にそれぞれ示したものである。
【００１４】
図１および図２において、１はラベル付きボタン型電池２を載置して所定方向に搬送する搬送体、３は前記搬送体１の進行方向（矢印）に対して角度をズラして配置され、かつ搬送体１面に載置されたボタン型電池２の周辺部に対接して、ボタン型電池２の搬送をガイドする第１の搬送ガイドである。また、４は前記第１の搬送ガイド３に対向して配置され、ボタン型電池２のラベル2a先端部を立上がり面4aに対接させて方向を制御する逆Ｌ字型の第２の搬送ガイドである。さらに、５は前記第２の搬送ガイド４の対向先端面部4bに配置され、ボタン型電池２の周辺部を押圧しながら搬送体１の進行方向へ同等の速度で移動する押さえベルトであり、回転体6a，6bによってエンドレスに回転・移動する構成を採っている。  この構成では、搬送体１は一般的にエンドレス型のベルトコンベアが望ましく、また、一対の搬送ガイド３，４は対向面を平行とし、かつ前記搬送体１の進行方向に対して、たとえば 5〜15°程度の角度で斜交する状態に配置されている。そして、この搬送ガイド３，４の長さや対向間隔あるいは形状などは、対象とするラベル付きボタン型電池の種類，大きさなどによって適宜選択・設定する。
【００１５】
次に、前記構成のラベル付きボタン型電池搬送装置の動作に付いて説明する。先ず、搬送体１の移動に伴って搬送体１の進行方向に移動するラベル付きボタン型電池２が、搬送ガイド３，４の配置領域に到達したとき、ボタン型電池２は両側からの周面部押圧により方向が規制され、これによってボタン型電池２に偶力が作用する構成を採っている。そして、前記ボタン型電池２に対する偶力の作用で、搬送過程にあるボタン型電池２は平面的な回転を発生し、貼着されているラベル2aの先端部が、逆Ｌ字型の第２の搬送ガイド４の立上がり面4aに対接して、前記搬送過程にあるボタン型電池２の平面的な回転は停止し、ボタン型電池２は一定の方向性が与えられる（整列化される）。
【００１６】
前記搬送ガイド３，４の配置領域において、ボタン型電池２の平面的な回転が停止すると、第２の搬送ガイド４の立上がり面4aに対接したラベル2aの先端部に反力が作用し、一旦与えられた一定の方向性が損なわれる恐れも懸念されるが、この搬送装置では第２の搬送ガイド４の対向先端面部4bに配置され、かつ搬送体１の進行方向へ同等の速度で移動する押さえベルト５によって、前記ラベル2aの先端部に作用する反力が容易に抑制される。したがって、一旦与えられた一定の方向性を保持し、かつラベルの破損，変形など起こすことなく、ラベル付きボタン型電池の搬送・整列化を容易に、また確実に行うことができる。
【００１７】
図３は、前記搬送装置におけるラベル付きボタン型電池２の搬送過程における一定方向付け、もしくは整列化する状態を模式的に示す平面図である。ここでは、搬送体１および押さえベルト５を 200cm／ minの速度走行させ、また、搬送体１の速度走行方向に対して10°の角度で長さ35cmの搬送ガイド３，４を設置して、ラベル付きボタン型電池２を、前記搬送ガイド３，４設置領域を搬送・通過させたところ、ラベル付きボタン型電池２は、平面的な回転を行って、順次ラベル2aの位置が変化して、最終的にはラベル2aの先端部が第２の搬送ガイド４の立上がり面4aに対接し、ボタン型電池２の回転も停止して、常にかつ確実に一定の方向性が与えられた。
【００１８】
このように、たとえば電池の製造ラインにおいて、連続的にラベル付きボタン型電池を整列化できることは生産性などの点で多くの利点をもたらすことになる。すなわち、方向修正用治具を使用しないで、搬送過程で一定の方向性を確実に持たせ得ることは、前記方向修正用治具の不要化および方向修正用治具への装着操作の不要化を意味し、作業性もしくは生産性の向上，コストの低減化に大きく寄与するといえる。
【００１９】
なお、本発明は上記例示の手段に限定されるものでなく、本発明の趣旨を逸脱しない範囲でいろいろの変形を採り得る。たとえば、前記例示ではラベル付きボタン型電池の搬送・整列化について例示したが、ボタン型電池の平坦面に集電子を溶接具備させた構造の場合にも適用できる。
【００２０】
【発明の効果】
請求項１の発明によれば、ラベルもしくは集電子付きボタン型電池は、その搬送過程で容易に一定の方向性が付与され、確実に所定の整列がなされる。
【００２１】
請求項２の発明によれば、前記請求項１記載の効果が容易、かつ確実に得られる。
【００２２】
つまり、本発明に係る手段では、煩雑な操作や治具などを不要としながら、容易かつ正確に、またラベルもしくは集電子の破損など生じることなく、ラベルもしくは集電子付きボタン型電池を所定の方向に整列化し、たとえば包装パックに対する容易な装着・収納を可能とし、多量生産体制などにも着実に対応でき、生産性などに大きく寄与することが可能となる。
【図面の簡単な説明】
【図１】本発明に係るボタン型電池搬送装置の要部構成例を示す平面図。
【図２】図１の A-A線に沿った断面図。
【図３】本発明に係るボタン型電池搬送方法の実施態様例を模式的に示す平面図。
【符号の説明】
１……搬送体
２……ラベル付きボタン型電池
2a……ラベル
３……第１の搬送ガイド
４……第２の搬送ガイド
4a……第２の搬送ガイドの立上がり面
4b……第２の搬送ガイドの対向先端部
５……押さえベルト
6a，6b……押さえベルト回転子
【図１】
0003925949.tif 000002
【図２】
0003925949.tif 000003
【図３】
0003925949.tif 000004